(57)【要約】【課題】検索条件とコンテンツとの合致度を視覚的に表現でき、所望のコンテンツを容易に見つけることのできるコンテンツ一覧表示装置を得る。【解決手段】検索部６は、与えられた検索条件で複数のコンテンツを検索してその検索結果を出力する。表示効果生成部７は、合致度に基づいて、各コンテンツに対する表示効果を決定する。インデックス配置部９は、各コンテンツの合致度に基づいて、各コンテンツの画面上の位置とサイズを決定すると共に、表示効果に基づいて各コンテンツを画面上で変化させる指示を所定時間毎に出力する。画面表示部１１は、各コンテンツの画面上の位置とサイズに基づいて、各コンテンツを画面表示すると共に、各コンテンツを画面上で変化させる指示に基づいて表示された各コンテンツを画面上で変化させる。【選択図】図１
2010108057.tif 000002
【特許請求の範囲】
【請求項１】
与えられた検索条件で複数のコンテンツを検索してその検索結果を出力すると共に、当該検索結果の各コンテンツについて前記検索条件との合致度を算出する検索部と、
前記合致度に基づいて、各コンテンツに対する表示効果を決定する表示効果生成部と、
前記各コンテンツの合致度に基づいて、当該各コンテンツの画面上の位置とサイズを決定すると共に、前記表示効果に基づいて前記各コンテンツを画面上で変化させる指示を所定時間毎に出力するインデックス配置部と、
前記各コンテンツの画面上の位置とサイズに基づいて、各コンテンツを画面表示すると共に、前記各コンテンツを画面上で変化させる指示に基づいて当該表示された各コンテンツを画面上で変化させる画面表示部とを備えたコンテンツ一覧表示装置。
【請求項２】
表示効果生成部は、表示効果として合致度に応じた移動速度を決定し、
インデックス配置部は、各コンテンツを画面上で変化させる指示として、表示されているコンテンツの中で最も合致度が高いコンテンツの移動速度を出力し、
画面表示部は、前記インデックス配置部から前記指示が出力される度に、前記移動速度で画面上に表示されている各コンテンツを移動させることを特徴とする請求項１記載のコンテンツ一覧表示装置。
【請求項３】
表示効果生成部は、表示効果として合致度に応じた拡大率を決定し、
インデックス配置部は、各コンテンツを画面上で変化させる指示として、移動速度と各コンテンツに対応した前記拡大率を出力し、
画面表示部は、前記インデックス配置部から前記指示が出力される度に、画面上に表示されている各コンテンツを前記移動速度で移動させると共に、当該各コンテンツに対応した前記拡大率で表示することを特徴とする請求項１記載のコンテンツ一覧表示装置。
【請求項４】
表示効果生成部は、表示効果として合致度に応じた表示色を決定し、
インデックス配置部は、各コンテンツを画面上で変化させる指示として、各コンテンツに対応した前記表示色を出力し、
画面表示部は、前記インデックス配置部から前記指示が出力される度に、画面上に表示されている各コンテンツのうち最も合致度が高いコンテンツを当該コンテンツに対応した前記表示色を用いて他のコンテンツとは識別して表示することを特徴とする請求項２または請求項３記載のコンテンツ一覧表示装置。
【発明の詳細な説明】
【技術分野】
【０００１】
この発明は、例えば動画像といったコンテンツの集合から検索条件を満たすコンテンツ候補の一覧を表示して、その中からユーザが所望するコンテンツを選択して再生するシステムに関するものである。
【背景技術】
【０００２】
従来、例えば情報提供装置として、時系列により連続する画像を順次拡大し、この拡大した画像が内周側より時系列の順序で螺旋状に連続するように表示するようにしたものがあった。そして、このような装置を、例えば、ディジタル衛星放送のセットトップボックスに適用した場合、時系列により連続する多くの画像について、前後関係を容易に理解することができるように表示することが可能となる（例えば、特許文献１参照）。
【０００３】
【特許文献１】国際公開第００／３３５６６号パンフレット
【発明の開示】
【発明が解決しようとする課題】
【０００４】
しかしながら、このような情報提供装置の技術を、種々のコンテンツを検索してその検索結果を表示するコンテンツ一覧表示装置に適用した場合、コンテンツ毎の検索条件との合致度を視覚的に表現できず、ユーザにとって所望のコンテンツを見つけにくいという問題があった。
【０００５】
この発明は上記のような課題を解決するためになされたもので、検索条件とコンテンツとの合致度を視覚的に表現でき、所望のコンテンツを容易に見つけることのできるコンテンツ一覧表示装置を得ることを目的とする。
【課題を解決するための手段】
【０００６】
この発明に係るコンテンツ一覧表示装置は、与えられた検索条件で複数のコンテンツを検索してその検索結果を出力すると共に、検索結果の各コンテンツについて検索条件との合致度を算出する検索部と、合致度に基づいて、各コンテンツに対する表示効果を決定する表示効果生成部と、各コンテンツの合致度に基づいて、各コンテンツの画面上の位置とサイズを決定すると共に、表示効果に基づいて各コンテンツを画面上で変化させる指示を所定時間毎に出力するインデックス配置部と、各コンテンツの画面上の位置とサイズに基づいて、各コンテンツを画面表示すると共に、各コンテンツを画面上で変化させる指示に基づいて表示された各コンテンツを画面上で変化させる画面表示部とを備えたものである。
【発明の効果】
【０００７】
この発明のコンテンツ一覧表示装置は、検索結果の各コンテンツに対して検索条件との合致度に応じた表示効果を付与し、この表示効果に応じて各コンテンツを画面上で変化させるようにしたので、検索条件とコンテンツとの合致度を視覚的に表現でき、所望のコンテンツを容易に見つけることができる。
【発明を実施するための最良の形態】
【０００８】
実施の形態１．
図１は、この発明の実施の形態１によるコンテンツ一覧表示装置を示す構成図である。
図示のコンテンツ一覧表示装置は、入力受付部１、コンテンツ分類部２、コンテンツ格納部３、コンテンツ付随情報格納部４、コンテンツ再生部５、検索部６、表示効果生成部７、タイマ部８、インデックス配置部９、映像スケーリング及び配置部１０、画面表示部１１を備えている。
【０００９】
入力受付部１は、ユーザが操作する図示しないリモートコントローラからの入力を受け付ける機能部である。コンテンツ分類部２は、装置外部から入力したコンテンツをコンテンツ付随情報とコンテンツ本体とに分類する機能部である。尚、コンテンツ付随情報とは、そのコンテンツのメタデータといったコンテンツに付随する情報である。また、コンテンツ格納部３は、コンテンツ分類部２で分類されたコンテンツ本体を格納する記憶部であり、コンテンツ付随情報格納部４は、コンテンツ分類部２で分類されたコンテンツ付随情報を格納する記憶部である。
【００１０】
コンテンツ再生部５は、コンテンツ格納部３に格納されたコンテンツを取り出し、インデックス配置部９から指示された情報に基づいて再生する機能部である。検索部６は、インデックス配置部９を介して与えられた検索条件に基づいて、コンテンツ付随情報格納部４に格納されているコンテンツ付随情報を参照し、検索を行い、その検索結果リストを作成すると共に、各検索結果について検索条件との合致度を算出する機能部である。表示効果生成部７は、検索部６で得られた合致度に基づいて各コンテンツの表示効果を示す情報を付加した検索結果リストを生成する機能部である。タイマ部８は、所定時間毎にインデックス配置部９に対して信号を出力する機能部である。インデックス配置部９は、表示効果生成部７から出力された検索結果リストに基づいて、各コンテンツの画面上での位置とサイズを決定すると共に、タイマ部８からの信号を受ける度に、各コンテンツの表示位置を移動させるよう指示を行う機能部である。映像スケーリング及び配置部１０は、コンテンツ再生部５が再生したコンテンツを、インデックス配置部９から出力された位置とサイズでスケーリングして、コンテンツを配置する機能部である。また、画面表示部１１は、コンテンツのスケーリング結果を画面表示する表示部である。
【００１１】
次に、実施の形態１のコンテンツ一覧表示装置における動作について説明する。
図２は、全体の画面推移を示す説明図である。
初期画面ａにおいてある検索条件を指定して検索すると、コンテンツ候補の一覧として小サイズの動画像が複数表示される。尚、本実施の形態では６個の小サイズの動画像を同時に表示するものとする。この小サイズの動画像を、インデックス動画像、またこの画面をコンテンツ一覧画面ｂと呼ぶ。コンテンツ一覧画面において、リモートコントローラの決定ボタンが押下されると、見かけ上最も手前のインデックス動画像が全画面に表示される。この全画面に表示された動画像をコンテンツ動画像、またこの画面を視聴画面ｃと呼ぶ。
以下、Ａとして、初期画面ａからコンテンツ一覧画面ｂへの遷移、Ｂとして表示効果付インデックス動画像の移動、Ｃとしてコンテンツ一覧画面ｂから視聴画面ｃへの遷移に分けて装置の動作を説明する。
【００１２】
《Ａ：初期画面ａからコンテンツ一覧画面ｂの遷移》
初期画面ａにおいてリモートコントローラによる検索要求を受信すると、検索を実行してその結果のインデックス動画像を表示する。
先ず、入力受付部１がリモートコントローラからの検索の信号を受信し、リモートコントローラの信号を命令に変換してインデックス配置部９へ出力する。インデックス配置部９は、入力受付部１からの検索要求の命令を受信すると、検索部６へ検索要求を出力する。検索部６は検索要求を受信すると、コンテンツ付随情報格納部４を検索してその検索結果リスト６ａを作成する。図３は、検索結果リスト６ａと後述する表示効果生成部７における表示効果付検索結果リスト７ｂとを示す説明図である。
【００１３】
図３に示すように、検索結果リスト６ａには、検索条件との合致度順に番号付けしたコンテンツ番号、コンテンツの格納パス、検索条件との合致度が記載される。尚、検索部６は各コンテンツの検索条件との合致度を１から１０の整数値で算出するとする。検索部６は表示効果生成部７へ合致度の順番に検索結果リスト６ａを出力する。
【００１４】
表示効果生成部７は、受信した検索結果リスト６ａの検索条件との合致度を基に、各インデックス動画像の表示効果を算出し、検索結果リストに追記する。一例として実施の形態１では、表示効果を螺旋状のコンテンツ一覧画面における角速度とし、合致度から移動速度の変換式ｆを以下のように定義する。但し、角速度は１信号当たりの移動角度とする。図３中の対応表７ａは、以下の合致度から移動角速度の変換を示している。
ｙ＝ｆ（ｘ）  ｘ：合致度、ｙ：角速度（゜／信号）
＝５    （１≦ｘ≦２）
＝４    （３≦ｘ≦４）
＝３    （５≦ｘ≦６）
＝２    （７≦ｘ≦８）
＝１    （９≦ｘ≦１０）
【００１５】
また、図３中の表示効果付検索結果リスト７ｂは、表示効果生成部７による検索結果リスト６ａへの追加例を示している。表示効果生成部７では、検索結果リスト６ａの合致度（高いほど検索条件との合致度が大きい）から、合致度と表示効果の対応表７ａより、各コンテンツの表示効果（小さい程ゆっくり移動する）を決定し、各コンテンツの表示効果の値が表示効果付検索結果リスト７ｂに追記される。表示効果生成部７はこの表示効果付検索結果リスト７ｂをインデックス配置部９へ出力する。
【００１６】
図４に、インデックス配置部９が保持する表示位置とサイズの初期値９ａと、表示位置とサイズの表９ｂを示す。
図４において、表示位置とサイズの表９ｂは、各コンテンツの表示位置とサイズの値、そしてコンテンツ一覧画面に表示するか否かを示す表示フラグを保持するものである。尚、図中、（ｘ，ｙ，ｗ，ｈ）におけるｘ，ｙは表示位置の左上のｘ、ｙ座標、ｗ，ｈはサイズを示す幅と高さである。
【００１７】
インデックス配置部９は、表示効果生成部７から表示効果付検索結果リスト７ｂを受け取ると、そのリストと同数のコンテンツに関する表示位置とサイズの表９ｂを作成し、コンテンツ番号１から６については、表示位置とサイズを、所定の表示位置とサイズの初期値９ａの値に、表示フラグを１に初期化し、それ以外のコンテンツについては表示信号とサイズを０クリア、表示フラグを０に初期化する。
【００１８】
インデックス配置部９は表示位置とサイズの表９ｂにおいて、表示フラグが１のコンテンツについて、表示効果付検索結果リスト７ｂに記載された格納パスをコンテンツ再生部５へ出力する。コンテンツ再生部５はコンテンツ番号１から６の格納パスを受信すると、コンテンツ格納部３の格納パスに格納されたコンテンツを開いて再生し、映像スケーリング及び配置部１０へ動画像ストリームを出力する。コンテンツ再生部５は複数のコンテンツを同時再生可能であり、映像スケーリング及び配置部１０は複数の動画像ストリームを受信する。
【００１９】
インデックス配置部９は、映像スケーリング及び配置部１０へ、表示フラグが１であるコンテンツ番号１から６までのコンテンツについて表示位置とサイズの表９ｂを参照して、表示位置とサイズの値を通知する。
【００２０】
映像スケーリング及び配置部１０は、インデックス配置部９から入力した配置を基に、コンテンツをスケーリングしてインデックス動画像として画面表示部１１へ出力する。画面表示部１１は、映像スケーリング及び配置部１０から受信したインデックス動画像を画面に表示する。その結果、図５に示すような信号受信前のコンテンツ一覧画面が表示される。また、図５中に示すように、最手前のコンテンツ（最も合致度の高いコンテンツ）は、外枠表示等でフォーカスされている。
【００２１】
《Ｂ：表示効果付インデックス動画像の移動》
コンテンツ一覧画面では、コンテンツ付随情報を基に決定した表示効果に従って、各インデックス動画像の配置を移動させる。
タイマ部８が定期的に信号をインデックス配置部９へ出力する。インデックス配置部９は、この信号を受信する度に、コンテンツの表示効果に従って、各インデックス動画像を再配置する。本実施の形態では、一例として、インデックス動画像を螺旋状に表示している。
【００２２】
図６及び図７は、インデックス配置部９がインデックス動画像を再配置する処理のフローチャートである。
先ず、図６に示すように、インデックス配置部９がタイマ部８から信号を受信すると、表示位置とサイズの表９ｂを参照して、表示フラグが１のコンテンツの中で最も小さいコンテンツ番号ｉｄを取得する（ステップＳＴ１）。一例として、ｉｄ＝１とする。続いてインデックス配置部９は取得したコンテンツ番号ｉｄの表示位置（ｘ，ｙ）を表示位置とサイズの表９ｂから取得する（ステップＳＴ２）。次に、インデックス配置部９は、（ｘ，ｙ）が、画面から消える最終位置（ｘ＿ｌａｓｔ，ｙ＿ｌａｓｔ）を通過したかどうかをチェックする（ステップＳＴ３）。ここではその通過基準をｘ＜ｘ＿ｌａｓｔかつｙ＞ｙ＿ｌａｓｔとして、画面左において画面から消えるものとする。このチェックの結果、最終位置を通過していなければ、そのまま、図７に示すインデックス動画像の再配置を行う。
【００２３】
インデックス動画像の再配置では、表示効果付検索結果リスト７ｂを参照して、インデックス配置部９は、コンテンツ番号ｉｄの表示効果（角速度）ｖを取得する（ステップＳＴ１０）。ここでは、一例として、ｉｄ＝１で、ｖ＝１である。コンテンツ番号ｉｄの表示位置を角速度ｖ＝１に当たる距離だけ移動するよう、インデックス配置部９は表示位置とサイズの表９ｂの表示位置を更新する（ステップＳＴ１１）。同様にコンテンツ番号がｉｄ＋１からｉｄ＋５のコンテンツについても、インデックス配置部９は角速度ｖ＝１に当たる距離だけ移動するよう表示位置とサイズの表９ｂの表示位置を更新する（ステップＳＴ１２）。
また、インデックス配置部９は、表示フラグが１であるコンテンツについて表示位置とサイズを映像スケーリング及び配置部１０に通知する（ステップＳＴ１３）。その結果、図５の信号受信前の状態から、図８の信号受信後（その１）のように画面が更新される。即ち、タイマ部８から信号が出力される度に、画面上の各インデックスは全て同じ角速度ｖに相当する距離を移動する。
【００２４】
次に図６のステップＳＴ３において、（ｘ，ｙ）が画面から消える最終位置（ｘ＿ｌａｓｔ，ｙ＿ｌａｓｔ）を通過していた場合について説明する。
表示位置とサイズの表９ｂにおいて、インデックス配置部９はコンテンツ番号ｉｄの表示フラグを０に（ステップＳＴ４）、コンテンツ番号ｉｄ＋６の表示フラグを１に設定する（ステップＳＴ５）。図９はこの状態を示している。即ち、図９中の矢印９０に示すように、表示するインデックス動画像の集合は下にスライドすることになる。
次に、コンテンツ番号ｉｄ＋６の表示位置とサイズを、初期値（ｘ６0，ｙ６0，ｗ６0，ｈ６0）とする（ステップＳＴ６）。更に、表示効果付検索結果リスト７ｂを参照して、インデックス配置部９は、コンテンツ番号ｉｄのコンテンツ再生の停止指示（ステップＳＴ７）と、コンテンツｉｄ＋６のコンテンツ格納パスをコンテンツ再生部５へ送信する（ステップＳＴ８）。そして、ｉｄ＝ｉｄ＋１とする（ステップＳＴ９）と、次に図７に示すインデックス動画像の再配置を行う。
【００２５】
インデックス配置部９は、表示効果付検索結果リスト７ｂを参照して、コンテンツ番号ｉｄの角速度ｖを取得する（ステップＳＴ１０）。一例としてｉｄ＝２でｖ＝２である。インデックス配置部９は、コンテンツ番号ｉｄからｉｄ＋５まで角速度ｖ＝２に当たる距離だけ移動するよう表示位置とサイズの表の表示位置を更新する（ステップＳＴ１１、ＳＴ１２）。インデックス配置部９は、表示フラグが１であるコンテンツについて表示位置とサイズを映像スケーリング及び配置部１０に通知する（ステップＳＴ１３）。その結果、図８の信号受信後（その１）から図１０の信号受信後（その２）のように画面が更新される。即ち、最手前のインデックス動画像が画面から消え、矢印１００に示すように中心からインデックス動画像が新たに表示される。
【００２６】
以降、コンテンツ番号２のインデックス動画像が最終位置に到達するまでの間、タイマ部８からの信号を受信する毎にインデックス動画像はｖ＝２の速度で移動することになる。そして、図１１に示すように、最手前のコンテンツの角速度ｖ′で移動を繰り返す。
【００２７】
以上の「Ｂ：表示効果付インデックス動画像の移動」で説明したように、前半は角速度ｖ＝１で、後半は２倍の角速度ｖ＝２でインデックス動画像は移動する。このように、検索条件への合致度によりインデックス動画像の移動速度が変化することで、合致度が高いほどゆっくり移動させてユーザがインデックス動画像を選択しやすくしている。
【００２８】
《Ｃ：コンテンツ一覧画面ｂから視聴画面ｃへの遷移》
コンテンツ一覧画面ｂにおいて、フォーカス状態にある特定のインデックス動画像が選択されると、そのコンテンツ動画像を表示する。
入力受付部１は、リモートコントローラから決定ボタン押下の信号を受信すると、その信号を命令に変換してインデックス配置部９へ出力する。インデックス配置部９はコンテンツ動画像表示要求を受信すると、表示効果付検索結果リスト７ｂ及び表示位置とサイズの表９ｂを参照してｉｄ＋１からｉｄ＋５のコンテンツについて再生を停止する信号をコンテンツ再生部５に送信する。ｉｄのコンテンツについては映像スケーリング及び配置部１０に全画面表示を指示する。映像スケーリング及び配置部１０は、インデックス配置部９からコンテンツ動画像の配置を受信し、その指示に従ってスケーリングを行い、画面表示部１１へ全画面再生動画像を出力する。画面表示部１１は映像スケーリング及び配置部１０から受信した全画面再生動画像を表示する。
【００２９】
以上のように、実施の形態１のコンテンツ一覧表示装置によれば、与えられた検索条件で複数のコンテンツを検索してその検索結果を出力すると共に、検索結果の各コンテンツについて検索条件との合致度を算出する検索部と、合致度に基づいて、各コンテンツに対する表示効果を決定する表示効果生成部と、各コンテンツの合致度に基づいて、各コンテンツの画面上の位置とサイズを決定すると共に、表示効果に基づいて各コンテンツを画面上で変化させる指示を所定時間毎に出力するインデックス配置部と、各コンテンツの画面上の位置とサイズに基づいて、各コンテンツを画面表示すると共に、各コンテンツを画面上で変化させる指示に基づいて表示された各コンテンツを画面上で変化させる画面表示部とを備えたので、検索条件とコンテンツとの合致度を視覚的に表現でき、所望のコンテンツを容易に見つけることができる。
【００３０】
また、実施の形態１のコンテンツ一覧表示装置によれば、表示効果生成部は、表示効果として合致度に応じた移動速度を決定し、インデックス配置部は、各コンテンツを画面上で変化させる指示として、表示されているコンテンツの中で最も合致度が高いコンテンツの移動速度を出力し、画面表示部は、インデックス配置部から指示が出力される度に、その移動速度で画面上に表示されている各コンテンツを移動させるようにしたので、検索結果に応じた速度でコンテンツを画面上に移動させることができ、ユーザにとって合致度の高いコンテンツを容易に選択することができる。
【００３１】
実施の形態２．
実施の形態２に係るコンテンツ一覧表示装置の図面上の構成は実施の形態１と同様であるため、図１を援用して説明する。
実施の形態２における表示効果生成部７は、表示効果として合致度に応じた拡大率を付与するよう構成されている。また、インデックス配置部９は、各コンテンツを画面上で変化させる指示として、移動速度と各コンテンツに対応した拡大率を出力するよう構成されている。従って、画面表示部１１は、インデックス配置部９から各コンテンツを画面上で変化させる指示が出力される度に、画面上に表示されている各コンテンツをその移動速度で移動させると共に、各コンテンツに対応した拡大率で表示することになる。これ以外の構成は実施の形態１と同様であるため、ここでの説明は省略する。
【００３２】
以下、実施の形態２の動作について、Ａ：初期画面ａからコンテンツ一覧画面ｂの遷移、Ｂ：表示効果付インデックス動画像の移動、Ｃ：コンテンツ一覧画面ｂから視聴画面ｃへの遷移について実施の形態１との差異を中心として説明する。
【００３３】
《Ａ：初期画面ａからコンテンツ一覧画面ｂの遷移》
画面遷移における、初期画面ａからコンテンツ一覧画面ｂの遷移において、表示効果生成部７は、実施の形態１と異なり、表示効果をタイマ部８からの信号毎の拡大率とする。一例として、合致度から拡大率の変換式ｆを以下のように定義する。
ｙ＝ｆ（ｘ）  ｘ：合致度、ｙ：拡大率
＝１．００    （１≦ｘ≦２）
＝１．０５    （３≦ｘ≦４）
＝１．１０    （５≦ｘ≦６）
＝１．１５    （７≦ｘ≦８）
＝１．２０    （９≦ｘ≦１０）
【００３４】
図１２は、表示効果の検索結果リストへの追加例を示す説明図である。
表示効果生成部７は、検索結果リスト６ａの合致度から、合致度から拡大率への変換ｆの対応表（合致度と表示効果の対応表）７ｃに基づいて、各コンテンツの表示効果（大きい程拡大される）を決定する。各コンテンツの表示効果の値が表示効果付検索結果リスト７ｄに追記される。表示効果生成部７は、表示効果を追記した表示効果付検索結果リスト７ｄをインデックス配置部９へ出力する。
以降コンテンツ一覧画面が表示するまで、実施の形態１と同様の処理を行う。その結果、実施の形態１の図５に示した状態から図１３に示すコンテンツ一覧画面が表示される。
【００３５】
《Ｂ：表示効果付インデックス動画像の移動》
実施の形態１とは、インデックス配置部９によるインデックス動画像の再配置処理が異なる。実施の形態２におけるインデックス配置部９は、図６と図１４のフローチャートに示す処理によってインデックス動画像を再配置する。
実施の形態２におけるインデックス動画像の再配置処理では、図１４のフローチャートに示すように、表示効果付検索結果リスト７ｄを参照して、コンテンツ番号ｉｄの表示効果（拡大率）ｓを取得する（ステップＳＴ２１）。ここでは一例として、ｉｄ＝１でｓ＝１．２０である。コンテンツ番号ｉｄの表示位置を角速度ｖに当たる距離だけ移動するよう表示位置とサイズの表を更新する（ステップＳＴ２２）。ここでは一例として、全てのインデックス動画像でｖ＝１とする。さらにコンテンツ番号ｉｄのサイズをｓ＝１．２０を用いて拡大する（ステップＳＴ２３）。その場合の拡大は以下の式を用いる。下式において、ｗ’、ｈ’は拡大後のサイズを示す。
ｗ′＝ｓ＊ｗ
ｈ′＝ｓ＊ｈ
【００３６】
同様にコンテンツ番号がｉｄ＋１からｉｄ＋５のコンテンツについても、それぞれの拡大率ｓにより拡大する（ステップＳＴ２２、ＳＴ２３、ＳＴ２４）。表示フラグが１であるコンテンツについて表示位置とサイズを映像スケーリング及び配置部１０に通知する（ステップＳＴ２５）。その結果、図５に示した信号受信前の画面から図１３に示す信号受信後のように画面が更新される。
【００３７】
《Ｃ：コンテンツ一覧画面ｂから視聴画面ｃへの遷移》
これについては、実施の形態１と同様であるため、その説明は省略する。
【００３８】
このように、実施の形態２では、それぞれのインデックス動画像が検索条件への合致度に応じて拡大しながら移動する。合致度が高いほど大きく表示されるため、ユーザは合致度の高いコンテンツを選択し易くなる。
【００３９】
以上のように、実施の形態２のコンテンツ一覧表示装置によれば、表示効果生成部は、表示効果として合致度に応じた拡大率を決定し、インデックス配置部は、各コンテンツを画面上で変化させる指示として、移動速度と各コンテンツに対応した拡大率を出力し、画面表示部は、インデックス配置部から指示が出力される度に、画面上に表示されている各コンテンツを移動速度で移動させると共に、各コンテンツに対応した拡大率で表示するようにしたので、検索結果に応じた拡大率でコンテンツを画面上に表示させることができ、ユーザにとって合致度の高いコンテンツを容易に選択することができる。
【００４０】
実施の形態３．
実施の形態３に係るコンテンツ一覧表示装置の図面上の構成は実施の形態１と同様であるため、図１を援用して説明する。
実施の形態３における表示効果生成部７は、実施の形態１の表示効果生成部７の表示効果に加えて合致度に応じた表示色を付与するよう構成されている。また、インデックス配置部９は、実施の形態１のインデックス配置部９の機能に加えて、各コンテンツを画面上で変化させる指示として、各コンテンツに対応した前記表示色を出力するよう構成されている。このため、画面表示部１１は、インデックス配置部９から各コンテンツを画面上で変化させる指示が出力される度に、画面上に表示されている各コンテンツのうち最も合致度が高いコンテンツを、そのコンテンツに対応した表示色を用いて他のコンテンツとは識別して表示することになる。これ以外の構成は、実施の形態１と同様であるため、ここでの説明は省略する。
【００４１】
以下、実施の形態３の動作について、Ａ：初期画面ａからコンテンツ一覧画面ｂの遷移、Ｂ：表示効果付インデックス動画像の移動、Ｃ：コンテンツ一覧画面ｂから視聴画面ｃへの遷移について実施の形態１との差異を中心に説明する。
【００４２】
《Ａ：初期画面ａからコンテンツ一覧画面ｂの遷移》
画面遷移における初期画面ａからコンテンツ一覧画面ｂの遷移においては、実施の形態１で説明した検索要求の受信から検索部６による検索結果リスト６ａの出力までの処理と同様である。これらの処理に続き、表示効果生成部７は、実施の形態１の動作に加えて、表示効果にフォーカス色を追加する。一例として、合致度からフォーカス色の対応を、図１５中の合致度からフォーカス色への変換対応表（合致度と表示効果の対応表）７ｅのように定義する。合致度からフォーカス色への変換対応表７ｅより、コンテンツ毎に角速度に加えてフォーカス色の値が表示効果付検索結果リスト７ｆに追記される。表示効果生成部７は、表示効果を追記した表示効果付検索結果リスト７ｆをインデックス配置部９へ出力する。
以降、映像スケーリング及び配置部１０がインデックス配置部９から入力した配置を基に、コンテンツをスケーリングしてインデックス動画像として画面表示部１１へ出力するまでの処理は実施の形態１と同様である。
【００４３】
その後、インデックス配置部９はフォーカスの表示要求を画面表示部１１へ送信する。その処理を図１６のフローチャートに示す。
最初に表示位置とサイズの表９ｂを参照して、インデックス配置部９は表示フラグが１のコンテンツの中で、最も小さいコンテンツ番号ｉｄを取得する（ステップＳＴ３１）。次に表示位置とサイズの表９ｂと表示効果付検索結果リスト７ｆを参照して、インデックス配置部９は検索結果リストのコンテンツ番号ｉｄについて表示効果、表示位置、サイズを参照して、それぞれフォーカス色の値ｃと（ｘ，ｙ，ｗ，ｈ）を取得する（ステップＳＴ３２）。図１５に示す表示効果付検索結果リスト７ｆの例では、コンテンツ番号ｉｄ＝１、ｃの色値は赤である。番号ｉｄのインデックス動画像の周囲を、フォーカス色ｃ（赤）で表示する指示を、画面表示部１１へ送信する（ステップＳＴ３３）。
【００４４】
画面表示部１１は、映像スケーリング及び配置部１０から受信したインデックス動画像を、インデックス配置部９から指示されたフォーカス色を重畳して画面に表示する。その結果、図１７のコンテンツ番号１消去前のコンテンツ一覧画面が表示される。
【００４５】
《Ｂ：表示効果付インデックス動画像の移動》
実施の形態３におけるインデックス配置部９は、実施の形態１で説明した図６、図７のフローチャートの処理に続いて、図１６のフローチャートの処理を行う点が実施の形態１と異なる。以下、これら図６および図７と図１６のフローチャートに沿ってその説明を行う。
インデックス配置部９がタイマ部８から信号を受信すると、インデックス配置部９は表示位置とサイズの表９ｂを参照して、表示フラグが１のコンテンツの中で最も小さいコンテンツ番号ｉｄを取得する（ステップＳＴ１）。一例として、ｉｄ＝１とする。続いてインデックス配置部９は取得したコンテンツ番号ｉｄの表示位置（ｘ，ｙ）を表示位置とサイズの表９ｂから取得する（ステップＳＴ２）。次に、インデックス配置部９は、（ｘ，ｙ）が、画面から消える最終位置（ｘ＿ｌａｓｔ，ｙ＿ｌａｓｔ）を通過したかどうかをチェックする（ステップＳＴ３）。ここではその通過基準をｘ＜ｘ＿ｌａｓｔかつｙ＞ｙ＿ｌａｓｔとして、画面左において画面から消えるものとする。このチェックの結果、最終位置を通過していなければ、そのままインデックス動画像の再配置を行う。
【００４６】
インデックス動画像の再配置処理では、表示効果付検索結果リスト７ｆを参照して、コンテンツ番号ｉｄの表示効果（角速度）ｖを取得する（ステップＳＴ１０）。図１５に示す表示効果付検索結果リスト７ｆの一例として、ｉｄ＝１でｖ＝１である。インデックス配置部９は、コンテンツ番号ｉｄの表示位置を角速度ｖ＝１に当たる距離だけ移動するよう表示位置とサイズの表９ｂの表示位置を更新する（ステップＳＴ１１）。同様にコンテンツ番号がｉｄ＋１からｉｄ＋５のコンテンツについても、インデックス配置部９は角速度ｖ＝１に当たる距離だけ移動するよう表示位置とサイズの表９ｂの表示位置を更新する（ステップＳＴ１２）。表示フラグが１であるコンテンツについて、インデックス配置部９は表示位置とサイズを映像スケーリング及び配置部１０に通知する（ステップＳＴ１３）。実施の形態１とは異なり、実施の形態３では、追加で以下の処理を行う（ここではフォーカス色の変化無し）。
【００４７】
インデックス配置部９は、図１６のフローチャートに示す動作により、フォーカスの表示要求を画面表示部１１へ送信する。即ち、インデックス配置部９は、最初に表示位置とサイズの表９ｂから表示フラグが１のコンテンツの中で、最も小さいコンテンツ番号ｉｄを取得する（ステップＳＴ３１）。次にインデックス配置部９は、表示位置とサイズの表９ｂと表示効果付検索結果リスト７ｆのコンテンツ番号ｉｄについて表示効果、表示位置、サイズを参照して、それぞれフォーカス色の値ｃと（ｘ，ｙ，ｗ，ｈ）を取得する（ステップＳＴ３２）。図１５に示す表示効果付検索結果リスト７ｆの例では、コンテンツ番号ｉｄ＝１、ｃの色値は赤である。インデックス配置部９は、番号ｉｄのインデックス動画像の周囲を、フォーカス色ｃ（赤）で表示する指示を、画面表示部１１へ送信する（ステップＳＴ３３）。その結果、図１７のコンテンツ番号１消去前のコンテンツ一覧画面が表示される。
【００４８】
次に、図６のステップＳＴ３において、（ｘ，ｙ）が画面から消える最終位置（ｘ＿ｌａｓｔ，ｙ＿ｌａｓｔ）を通過していた場合について説明する。表示位置とサイズの表９ｂにおいて、インデックス配置部９は、コンテンツ番号ｉｄの表示フラグを０に（ステップＳＴ４）、コンテンツ番号ｉｄ＋６の表示フラグを１に設定する（ステップＳＴ５）。インデックス配置部９は、コンテンツ番号ｉｄ＋６の表示位置とサイズを、初期値（ｘ６０，ｙ６０，ｗ６０，ｈ６０）とする（ステップＳＴ６）。次に、表示効果付検索結果リスト７ｆを参照して、インデックス配置部９はコンテンツ番号ｉｄのコンテンツ再生の停止（ステップＳＴ７）と、コンテンツｉｄ＋６のコンテンツ格納パスをコンテンツ再生部５へ送信する（ステップＳＴ８）。そして、ｉｄ＝ｉｄ＋１として（ステップＳＴ９）、次にインデックス動画像の再配置を行う。
【００４９】
インデックス配置部９は、表示効果付検索結果リスト７ｆを参照して、コンテンツ番号ｉｄの角速度ｖを取得する（ステップＳＴ１０）。一例として、ｉｄ＝２でｖ＝２である。コンテンツ番号ｉｄからｉｄ＋５まで角速度ｖ＝２に当たる距離だけ移動するよう、インデックス配置部９は表示位置とサイズの表９ｂの表示位置を更新する（ステップＳＴ１１、ＳＴ１２）。表示フラグが１であるコンテンツについて表示位置とサイズをインデックス配置部９は映像スケーリング及び配置部１０に通知する（ステップＳＴ１３）。実施の形態１とは異なり実施の形態３では、追加で以下の処理を行う。
【００５０】
最初に、表示位置とサイズの表９ｂから、インデックス配置部９は表示フラグが１のコンテンツの中で、最も小さいコンテンツ番号ｉｄを取得する（ステップＳＴ３１）。次に表示位置とサイズの表９ｂと表示効果付検索結果リスト７ｆのコンテンツ番号ｉｄについて、インデックス配置部９は、表示効果、表示位置、サイズを参照して、それぞれフォーカス色の値ｃと（ｘ，ｙ，ｗ，ｈ）を取得する（ステップＳＴ３２）。図１５に示す表示効果付検索結果リスト７ｆの例では、コンテンツ番号ｉｄ＝２、ｃの色値は橙である。インデックス配置部９は、番号ｉｄのインデックス動画像の周囲を、フォーカス色ｃ（橙）で表示する指示を、画面表示部１１へ送信する（ステップＳＴ３３）。その結果、図１８のコンテンツ番号１消去後のコンテンツ一覧画面が表示される。
【００５１】
《Ｃ：コンテンツ一覧画面ｂから視聴画面ｃへの遷移》
実施の形態１と同様であるため、ここでの説明は省略する。
【００５２】
尚、上記実施の形態３では、実施の形態１の構成に付加したが、実施の形態２の構成に対して表示色を付加するようにしてもよい。
【００５３】
以上のように、実施の形態３のコンテンツ一覧表示装置によれば、表示効果生成部は、表示効果として合致度に応じた表示色を決定し、インデックス配置部は、各コンテンツを画面上で変化させる指示として、各コンテンツに対応した表示色を出力し、画面表示部は、インデックス配置部から指示が出力される度に、画面上に表示されている各コンテンツのうち最も合致度が高いコンテンツをコンテンツに対応した表示色を用いて他のコンテンツとは識別して表示するようにしたので、各コンテンツが検索条件への合致度に応じてフォーカスの色を変えて移動する。そのためユーザは各コンテンツの検索結果を視覚的に認識でき、合致度の高いコンテンツを選択し易くなる。
【００５４】
尚、上記各実施の形態では、コンテンツとして動画像としたが、静止画像等であっても同様に適用可能である。
【図面の簡単な説明】
【００５５】
【図１】この発明の実施の形態１によるコンテンツ一覧表示装置を示す構成図である。
【図２】この発明の実施の形態１によるコンテンツ一覧表示装置の全体の画面推移を示す説明図である。
【図３】この発明の実施の形態１によるコンテンツ一覧表示装置の検索結果リストの説明図である。
【図４】この発明の実施の形態１によるコンテンツ一覧表示装置のインデックス配置部における表示位置とサイズの説明図である。
【図５】この発明の実施の形態１によるコンテンツ一覧表示装置の信号受信前のコンテンツ一覧画面の説明図である。
【図６】この発明の実施の形態１によるコンテンツ一覧表示装置のインデックス動画像の再配置処理（その１）を示すフローチャートである。
【図７】この発明の実施の形態１によるコンテンツ一覧表示装置のインデックス動画像の再配置処理（その２）を示すフローチャートである。
【図８】この発明の実施の形態１によるコンテンツ一覧表示装置の信号受信後のコンテンツ一覧画面（その１）を示す説明図である。
【図９】この発明の実施の形態１によるコンテンツ一覧表示装置のインデックス配置部におけるインデックス動画像の差し替えの説明図である。
【図１０】この発明の実施の形態１によるコンテンツ一覧表示装置の信号受信後のコンテンツ一覧画面（その２）を示す説明図である。
【図１１】この発明の実施の形態１によるコンテンツ一覧表示装置の信号受信後のコンテンツ一覧画面（その３）を示す説明図である。
【図１２】この発明の実施の形態２によるコンテンツ一覧表示装置の検索結果リストの説明図である。
【図１３】この発明の実施の形態２によるコンテンツ一覧表示装置の信号受信後のコンテンツ一覧画面を示す説明図である。
【図１４】この発明の実施の形態２によるコンテンツ一覧表示装置のインデックス動画像の再配置処理を示すフローチャートである。
【図１５】この発明の実施の形態３によるコンテンツ一覧表示装置の検索結果リストの説明図である。
【図１６】この発明の実施の形態３によるコンテンツ一覧表示装置のフォーカスの描画処理を示すフローチャートである。
【図１７】この発明の実施の形態３によるコンテンツ一覧表示装置のコンテンツ番号１の消去前の画面を示す説明図である。
【図１８】この発明の実施の形態３によるコンテンツ一覧表示装置のコンテンツ番号１の消去後の画面を示す説明図である。
【符号の説明】
【００５６】
１  入力受付部、２  コンテンツ分類部、３  コンテンツ格納部、４  コンテンツ付随情報格納部、５  コンテンツ再生部、６  検索部、６ａ  検索結果リスト、７  表示効果生成部、７ａ，７ｃ，７ｅ  合致度と表示効果の対応表、７ｂ，７ｄ，７ｆ  表示効果付検索結果リスト、８  タイマ部、９  インデックス配置部、９ａ  表示位置とサイズの表、１０  映像スケーリング及び配置部、１１  画面表示部。
【図１】
2010108057.tif 000003
【図２】
2010108057.tif 000004
【図３】
2010108057.tif 000005
【図４】
2010108057.tif 000006
【図５】
2010108057.tif 000007
【図６】
2010108057.tif 000008
【図７】
2010108057.tif 000009
【図８】
2010108057.tif 000010
【図９】
2010108057.tif 000011
【図１０】
2010108057.tif 000012
【図１１】
2010108057.tif 000013
【図１２】
2010108057.tif 000014
【図１３】
2010108057.tif 000015
【図１４】
2010108057.tif 000016
【図１５】
2010108057.tif 000017
【図１６】
2010108057.tif 000018
【図１７】
2010108057.tif 000019
【図１８】
2010108057.tif 000020